(57)【要約】【課題】物品に貼付されたＵＨＦ帯ＲＦＩＤ  ＩＣタグを、リーダライタとアンテナで構成される基本的な装置で自動認識する際、ＩＣタグとアンテナの間の距離、アンテナからの電波の方向に対するＩＣタグの向きの状態などにより認識率が低下するのを防ぐ、ＲＦＩＤ  ＩＣタグ自動認識装置を提供する。【解決手段】ＵＨＦ帯ＲＦＩＤのリーダライタ（１）とＵＨＦ帯アンテナ（２）で構成される基本装置（３）あるいは（４）［あるいは（Ｎ＋１）角形の立体形状の基本装置］の側面に、ＵＨＦ帯アンテナ（２）を内蔵するパネル（５）を複数個、多面的に配置し、基本装置（３）あるいは（４）［あるいは（Ｎ＋１）角形の立体形状の基本装置］と組合わせて一体形を構成する装置として、物品に貼付したＵＨＦ帯ＲＦＩＤのＩＣタグを瞬時に、高い認識率で自動認識する装置を特徴とする。【選択図】図１
2014057291.tif 000002
【特許請求の範囲】
【請求項１】
ＵＨＦ帯ＲＦＩＤのリーダライタ（１）とＵＨＦ帯ＲＦＩＤのアンテナ（２）により構成される基本装置の側面あるいは側面と上面に、ＵＨＦ帯ＲＦＩＤのアンテナ（２）を内蔵するパネル複数個を多面的に配置し、それらを組合わせて一体形の装置を構成するようにした、物品に貼付したＵＨＦ帯ＲＦＩＤのＩＣタグを瞬時に、高い認識率で認識する自動認識装置。
【請求項２】
基本装置の側面に配置するＵＨＦ帯ＲＦＩＤのアンテナ（２）を内蔵した、同一形状のパネル（５）および複数個を多面的に結合する際に脱着可能な構造となったパネル。
【請求項３】
内臓するアンテナ（２）を、パネル（５）内の任意の位置に設置できるように、自由に脱着できる構造としたパネル。
【発明の詳細な説明】
【技術分野】
【０００１】  この発明は、ＲＦＩＤリーダライタ、アンテナを内蔵する基本装置と、アンテナのみを内蔵するパネル複数個を組合わせて一体形の装置とし、物品に貼付したＵＨＦ帯ＲＦＩＤ  ＩＣタグを、瞬時に、かつ、高い認識率で自動認識する装置に関するものである。
【背景技術】
【０００２】  従来の装置は、ＲＦＩＤリーダライタとアンテナを組合わせた基本的な装置であり、ＩＣタグとアンテナ間の電波の交信は、一つの方向だけであった。
【先行技術文献】
【０００３】
【特許文献１】
【非特許文献１】
【発明の概要】
【発明が解決しようとする課題】
【０００４】これは次のような欠点があった。
（イ）ＵＨＦ帯ＲＦＩＤ  ＩＣタグを貼付した物品を一つのアンテナで認識する場合、アンテナから遠い位置にあるＩＣタグは距離が長いため、充分な受信感度が得られず、ＩＣタグの認識率が低下することがあった。
（ロ）アンテナから発する電波の方向に対するＩＣタグの向きが悪いと、充分な受信感度が得られず、ＩＣタグの認識率が低下することがあった。
（ハ）ＩＣタグを貼付した物品が立体的に積み重ねられた場合、上層部のＩＣタグまで電波が届かず、ＩＣタグを認識することが困難な場合があった。
本発明は、これらの欠点をなくすためになされたものである。
【課題を解決するための手段】
【０００５】  ＲＦＩＤ  ＩＣタグの認識処理をするためのＵＨＦ帯ＲＦＩＤのリーダライタ（１）とＵＨＦ帯アンテナ（２）で構成される基本装置（３）の側面に、ＵＨＦ帯アンテナ（２）を内蔵するパネル（５）を多面的にｎ個配置する（ｎは１以上）。基本装置とアンテナを内蔵するパネルは、組み合わせて一体形の構成とする。
基本装置は、組み合わせるパネルの数によりその形状が異なり、パネルが２個の場合、基本装置は（３）の形状、パネルが４個の場合、基本装置は（４）の形状となる。
また、それぞれの基本装置と同様の形状の、アンテナ内臓のパネルを上面に設置することができる。
本発明は、以上の構成よりなるＵＨＦ帯ＲＦＩＤ  ＩＣタグの自動認識装置である。
【発明の効果】
【０００６】（イ）基本装置の側面に、アンテナ内蔵のパネルを複数個、多面的に配置するので、ＲＦＩＤ  ＩＣタグの認識範囲が広がることになり、基本装置でＩＣタグの認識できなくても、複数個のパネルの内蔵アンテナにより認識され、認識率を高めることができる。
（ロ）基本装置のアンテナの電波方向では認識されない方向の位置にあるＩＣタグも、複数個のパネルのアンテナにより多方向から電波が届くので、認識範囲が広がり、認識率を高めることができる。
（ハ）立体的に積み重ねられた上層部の物品に貼付されたＩＣタグも、複数個のパネルのアンテナの、より高い位置にあるアンテナにより認識することができ、認識率を高めることができる。
（ニ）それぞれのパネルに内蔵されたアンテナは、パネル内の任意の位置に、脱着式で自由に設置できる構造であるので、物品に貼付されたＩＣタグを認識するのに最適な位置にアンテナを調整して固定することが可能となり、さらに認識率を高めることができる。
【図面の簡単な説明】
【０００７】
【図１】  アンテナを内蔵するパネルを側面に２個設置した場合の、本発明の斜視図である。
【図２】  アンテナを内蔵するパネルを側面に２個設置した場合の、本発明の平面図である。
【図３】  アンテナを内蔵するパネルを側面に４個設置した場合の、本発明の斜視図である。
【図４】  アンテナを内蔵するパネルを側面に４個設置した場合の、本発明の平面図である。
【発明を実施するための形態】
【０００８】  以下、本発明を実施するための形態について説明する。
ＲＦＩＤの認識処理をするためのＵＨＦ帯ＲＦＩＤのリーダライタ（１）とＵＨＦ帯ＲＦＩＤのアンテナ（２）により基本装置を構成する。基本装置の形状は、アンテナ（２）を内蔵するパネル（５）の個数ｎによって異なる。ｎが２または３の場合は四角形の立体（３）、ｎが４の場合は五角形の立体（４）となる。ｎがＮの場合は、（Ｎ＋１）角形の立体となる。
その基本装置（３）あるいは（４）［あるいは（Ｎ＋１）角形の立体形状の基本装置］の側面に、ＵＨＦ帯ＲＦＩＤのアンテナを内蔵するパネル（５）を複数個、多面的に配置する。パネル間は抜蝶番で連結し、必要に応じて脱着できる構造とする。
基本装置（３）あるいは（４）［あるいは（Ｎ＋１）角形の立体形状の基本装置］と複数個のパネル（５）は、組合わせて一体形の装置を構成するようにする。
上面にアンテナ内臓のパネルを設置する場合、基本装置（３）あるいは（４）［あるいは（Ｎ＋１）角形の立体形状の基本装置］と同形状のパネルを用意する。
内臓するアンテナ（２）は、パネル（５）内の任意の位置に設置できるようにするため、自由に脱着できる構造とする。これにより、物品に貼付されたＩＣタグを認識するのに最適な位置に調整して、アンテナを容易に固定することが可能となる。
リーダライタ（１）とアンテナ（２）の間は同軸ケーブルで接続する。また、リーダライタ（１）に電源ケーブルを接続する。
このようにして、アンテナを内蔵するパネルを複数個、多面的に配置して、基本装置と一体化することにより、物品に貼付したＵＨＦ帯ＲＦＩＤのＩＣタグを瞬時に、かつ高い認識率で自動認識する装置を構成することができる。
ＵＨＦ帯ＲＦＩＤ  ＩＣタグを貼付した物品は、基本装置の上に乗せ、物品に貼付されたＩＣタグの自動認識を行なう。
【符号の説明】
【０００９】１  ＵＨＦ帯ＲＦＩＤのリーダライタ
２  ＵＨＦ帯ＲＦＩＤのアンテナ
３  リーダライタおよびアンテナを内蔵する基本装置（パネルが２個の場合）
４  リーダライタおよびアンテナを内蔵する基本装置（パネルが４個の場合）
５  ＵＨＦ帯ＲＦＩＤのアンテナを内蔵するパネル
【図１】
2014057291.tif 000003
【図２】
2014057291.tif 000004
【図３】
2014057291.tif 000005
【図４】
2014057291.tif 000006